(57)【要約】【課題】病院での混注業務における薬品のチェックは人手による作業が中心であり、作業者にとって、チェック作業は非常に神経を使う作業であり、疲れる作業であった。【解決手段】画面上の複数に区切られた領域のうちの１以上の領域に物品の情報である物品情報を表示する情報処理装置と、複数の領域に対応するように区切られたトレイを具備する物品設置システムであり、かかる物品設置システムにより、間違いなく、かつ容易に薬品のチェックを行うことができる。【選択図】　図２
2004018154.tif 000002
【特許請求の範囲】
【請求項１】
画面上の複数に区切られた領域のうちの１以上の領域に物品の情報である物品情報を表示する情報処理装置と、
前記複数の領域に対応するように区切られたトレイを具備する物品設置システム。
【請求項２】
前記情報処理装置は、
前記物品情報を取得するための情報である検索情報の入力を受け付ける検索情報受付部と、
前記検索情報に基づいて物品情報を取得する物品情報取得部をさらに具備し、
画面上の複数に区切られた領域のうちの１以上の領域に、前記物品情報取得部が取得した物品情報を表示する請求項１記載の物品設置システム。
【請求項３】
前記情報処理装置と前記トレイが機構的に接続されている請求項１または請求項２いずれか記載の物品設置システム。
【請求項４】
前記物品情報が薬品に関する情報である薬品情報である請求項１から請求項３いずれか記載の物品設置システム。
【請求項５】
請求項１から請求項４いずれか記載の物品設置システムを構成するトレイ。
【請求項６】
情報処理装置とボトルラベルを印刷する印刷装置を具備するボトルラベル製造システムであって、
前記情報処理装置は、
薬品の情報である薬品情報を複数、各々区切られた領域に表示する薬品情報表示部と、
当該表示されている薬品情報への指示を受け付ける指示受付部と、
前記指示受付部で指示を受け付けた場合に、指示を受け付けた旨を視覚的に明示する指示受付明示部と、
ボトルラベルを印刷する条件を格納している条件格納部と、
前記条件格納部に格納されている条件に、前記指示受付部が受け付けた複数の指示が合致するか否かを判断する条件判断部と、
前記条件判断部における判断が条件に合致するとの判断の場合に、前記印刷装置にボトルラベルの印刷をするように指示するボトルラベル印刷指示部を具備し、前記印刷装置は、
前記ボトルラベルの印刷指示を受け付ける印刷指示受付部と、
前記印刷指示受付部でボトルラベルの印刷指示を受け付けた場合に、ボトルラベルを印刷するボトルラベル印刷部を具備するボトルラベル製造システム。
【請求項７】
前記情報処理装置は、
前記薬品情報を取得するための情報である検索情報の入力を受け付ける検索情報受付部と、
前記検索情報に基づいて薬品情報を取得する薬品情報取得部をさらに具備し、
前記薬品情報表示部は前記薬品情報取得部が取得した薬品情報を複数、各々区切られた領域に表示する請求項６記載のボトルラベル製造システム。
【請求項８】
前記条件格納部が格納している条件が、表示されている薬品情報が全て指示されたこと、および最後にボトルを示す薬品情報が指示されたことである請求項６または請求項７いずれか記載のボトルラベル製造システム。
【請求項９】
請求項６から請求項８いずれか記載のボトルラベル製造システムを構成する情報処理装置。
【請求項１０】
薬品の情報である薬品情報を複数、各々区切られた領域に表示されている状況において、
当該表示されている薬品情報への指示を受け付ける指示受付ステップと、
前記指示受付ステップで指示を受け付けた場合に、指示を受け付けた旨を視覚的に明示する指示受付明示ステップと、
予め格納されている条件に、前記指示受付ステップで受け付けた複数の指示が合致するか否かを判断する条件判断ステップと、
条件判断ステップにおける判断が条件に合致するとの判断の場合に、ボトルラベルを印刷するボトルラベル印刷ステップを具備するボトルラベル製造方法。
【請求項１１】
前記薬品情報を取得するための情報である検索情報の入力を受け付ける検索情報入力受付ステップと、
検索情報に基づいて薬品情報を取得する薬品情報取得ステップをさらに具備し、前記薬品情報表示ステップにおいて前記薬品情報取得ステップで取得した薬品情報を複数、各々区切られた領域に表示する請求項１０記載のボトルラベル製造方法。
【請求項１２】
複数の属性値を有するレコードを複数格納しているデータベースからレコード、またはレコードを構成する１以上の属性値を検索するための情報である検索情報の入力を受け付ける検索情報受付部と、
前記検索情報に基づいて前記データベースからレコードまたはレコードを構成する１以上の属性値を検索する検索部と、
前記検索部で検索した１以上のレコードまたはレコードを構成する１以上の属性値を表示するデータ表示部を具備し、
前記データ表示部は、予め決められた属性値にデータが存在する場合にのみ、当該データの存在を視覚的に明示するアイコンを出力することを特徴とするデータ表示装置。
【請求項１３】
前記レコードは薬品の情報である薬品情報であり、
前記予め決められた属性値は、薬品の取り扱いの注意に関する情報である請求項１２記載のデータ表示装置。
【請求項１４】
コンピュータに、
複数の属性値を有するレコードを複数格納しているデータベースからレコード、またはレコードを構成する１以上の属性値を検索するための情報である検索情報の入力を受け付ける検索情報入力受付ステップと、
前記検索情報に基づいて前記データベースからレコードまたはレコードを構成する１以上の属性値を検索する検索ステップと、
前記検索ステップで検索した１以上のレコードまたはレコードを構成する１以上の属性値を表示するデータ表示ステップを実行させるためのプログラムであって、
前記データ表示ステップにおいて、予め決められた属性値にデータが存在する場合にのみ、当該データの存在を視覚的に明示するアイコンを出力することを特徴とするプログラム。
【請求項１５】
薬品を識別する薬品識別子と当該薬品の全体量を示す全体量情報を有する薬品情報が複数格納されており、
薬品識別子と当該薬品識別子で識別される薬品の使用量を示す情報である使用量情報を有する使用薬品情報を１以上含む指示命令を受け付ける指示命令受付ステップと、
前記指示命令が有する使用薬品情報が有する薬品識別子に基づいて薬品情報の全部または一部を検索する薬品情報検索ステップと、
前記薬品情報検索ステップにおいて検索した薬品情報の全部または一部と、前記指示命令が有する使用薬品情報に含まれる使用量情報に基づいて、薬品を識別するための情報と、当該薬品の全体量および薬品の使用量を視覚的に表示する薬品情報表示ステップを具備する薬品情報表示方法。
【請求項１６】
前記薬品情報表示ステップは、薬品の全体量および薬品の使用量を図柄により視覚的に表示する請求項１５記載の薬品情報表示方法。
【請求項１７】
前記薬品情報表示ステップは、薬品の全体量および薬品の使用量を数字により表示する請求項１５記載の薬品情報表示方法。
【請求項１８】
コンピュータに、
薬品を識別する薬品識別子と当該薬品の全体量を示す全体量情報を有する薬品情報が複数格納されている状態において、
薬品識別子と当該薬品識別子で識別される薬品の使用量を示す情報である使用量情報を有する使用薬品情報を１以上含む指示命令を受け付ける指示命令受付ステップと、
前記指示命令が有する使用薬品情報が有する薬品識別子に基づいて薬品情報の全部または一部を検索する薬品情報検索ステップと、
前記薬品情報検索ステップにおいて検索した薬品情報の全部または一部と、前記指示命令が有する使用薬品情報に含まれる使用量情報に基づいて、薬品を識別するための情報と、当該薬品の全体量および薬品の使用量を視覚的に表示する薬品情報表示ステップを
実行させるためのプログラム。
【発明の詳細な説明】
【０００１】
【発明の属する技術分野】
本発明は、情報処理装置から出力する情報が示す物品等を間違いなく選択するための物品設置システム等に関し、特に薬品を混注する業務を支援するシステム等に関するものである。
【０００２】
【従来の技術】
従来の技術として、タイル式のウィンドウシステムがある。このウィンドウシステムは、複数の情報をオーバーラップせずに区切られたウィンドウ領域に表示する。
【０００３】
また、従来の病院における混注業務は、看護婦等が注射箋を見ながら、一つ一つ注射薬を確認して、混注していた。
【０００４】
【発明が解決しようとする課題】
しかし、従来の混注業務を上記のウィンドウシステムによって支援しようとした場合、紙の注射箋と比較して、注射薬が図柄等で表示され、見やすくなるに過ぎない。上記の場合においても、混注業務における薬品のチェックは人手による作業が中心である。従って、作業者にとって、上記作業は非常に神経を使う作業であり、疲れる作業であった。また、万が一ではあるが、混注する注射薬の選択や混注を誤ることも考えられる。さらに、一人の作業者が多数の患者の注射薬の混注を行う場合は、なおさらである。
【０００５】
【課題を解決するための手段】
以上の課題を解決するために、本発明は、画面上の複数に区切られた領域のうちの１以上の領域に物品の情報である物品情報を表示する情報処理装置と、複数の領域に対応するように区切られたトレイを具備する物品設置システムを提供する。また、他の本発明は、情報処理装置とボトルラベルを印刷する印刷装置を具備するボトルラベル製造システムであって、情報処理装置は、薬品の情報である薬品情報を複数、各々区切られた領域に表示する薬品情報表示部と、当該表示されている薬品情報への指示を受け付ける指示受付部と、指示受付部で指示を受け付けた場合に、指示を受け付けた旨を視覚的に明示する指示受付明示部と、ボトルラベルを印刷する条件を格納している条件格納部と、条件格納部に格納されている条件に、指示受付部が受け付けた複数の指示が合致するか否かを判断する条件判断部と、条件判断部における判断が条件に合致するとの判断の場合に、印刷装置にボトルラベルの印刷をするように指示するボトルラベル印刷指示部を具備し、印刷装置は、ボトルラベルの印刷指示を受け付ける印刷指示受付部と、印刷指示受付部でボトルラベルの印刷指示を受け付けた場合に、ボトルラベルを印刷するボトルラベル印刷部を具備するボトルラベル製造システムを提供する。また、他の本発明は、複数の属性値を有するレコードを複数格納しているデータベースからレコード、またはレコードを構成する１以上の属性値を検索するための情報である検索情報の入力を受け付ける検索情報受付部と、検索情報に基づいてデータベースからレコードまたはレコードを構成する１以上の属性値を検索する検索部と、検索部で検索した１以上のレコードまたはレコードを構成する１以上の属性値を表示するデータ表示部を具備し、データ表示部は、予め決められた属性値にデータが存在する場合にのみ、当該データの存在を視覚的に明示するアイコンを出力することを特徴とするデータ表示装置を提供する。さらに、他の本発明は、薬品を識別する薬品識別子と当該薬品の全体量を示す全体量情報を有する薬品情報が複数格納されており、薬品識別子と当該薬品識別子で識別される薬品の使用量を示す情報である使用量情報を有する使用薬品情報を１以上含む指示命令を受け付ける指示命令受付ステップと、指示命令が有する使用薬品情報が有する薬品識別子に基づいて薬品情報の全部または一部を検索する薬品情報検索ステップと、薬品情報検索ステップにおいて検索した薬品情報の全部または一部と、指示命令が有する使用薬品情報に含まれる使用量情報に基づいて、薬品を識別するための情報と、当該薬品の全体量および薬品の使用量を視覚的に表示する薬品情報表示ステップを具備する薬品情報表示方法を提供する。以上のシステム等により、例えば、病棟において複数の薬品を混注する場合に、間違いなく薬品を混注できる。
【０００６】
【発明の実施の形態】
以下、物品設置システム等の実施形態について図面を参照して説明する。なお、実施の形態において同じ符号を付した構成要素は同様の動作を行うので、再度の説明を省略する場合がある。
【０００７】
（実施の形態１）
図１は、本発明における物品設置システムの概念図である。物品設置システムは、サーバ装置１１、情報処理装置１２、およびトレイ１３を有する。また、物品設置システムのブロック図を図２に示す。サーバ装置１１は、物品情報格納部１１０１、検索情報受信部１１０２、物品情報検索部１１０３、物品情報送信部１１０４を有する。情報処理装置１２は、検索情報受付部１２０１、検索情報送信部１２０２、物品情報取得部１２０３、物品情報表示部１２０４を有する。トレイ１３は、予め複数の領域に区切られている。
【０００８】
物品情報格納部１１０１は、物品に関する情報である物品情報を格納している。物品情報とは、物品に関する情報であれば良く、そのデータタイプやデータ構造などは問わない。物品とは、例えば、薬品である。物品情報とは、例えば、薬品を視覚的に示す図柄（アイコンや動画データなど）と薬品の量を示す情報（単位：ｍｌ）を有する情報である。物品情報格納部１１０１は、不揮発性の記録媒体が好適であるが、揮発性の記録媒体でも良い。
【０００９】
検索情報受信部１１０２は、物品情報格納部１１０１に格納されている物品情報を検索するための情報である検索情報を情報処理装置１２から受信する。検索情報とは、例えば、ＳＱＬなどの検索式である。ＳＱＬとは、情報検索式を表現する標準的な言語である。また、検索情報は、例えば、物品情報を検索するキーとなる情報（物品の識別子）などである。検索情報受信部１１０２は、通常、無線または有線の通信手段で実現されるが、放送を受信する手段で実現されても良い。
【００１０】
物品情報検索部１１０３は、検索情報受信部１１０２で受信した検索情報に基づいて物品情報格納部１１０１を検索して、物品情報を取得する。物品情報検索部１１０３は、通常、ソフトウェアおよびＣＰＵ等により実現され得る。このソフトウェアは、通常、ＲＯＭ等に格納されている。
【００１１】
物品情報送信部１１０４は、物品情報検索部１１０３で検索した物品情報を情報処理装置１２に送信する。物品情報送信部１１０４は、通常、無線または有線の通信手段で実現されるが、放送手段で実現されても良い。
【００１２】
検索情報受付部１２０１は、検索情報の入力を受け付ける。検索情報受付部１２０１の実現手段は、検索情報の受付方法に基づいて、種々考えられる。例えば、検索情報受付部１２０１は、バーコードリーダーで実現される。また、検索情報受付部１２０１は、例えば、キーボードとそのドライバーソフト等で実現され得る。
【００１３】
検索情報送信部１２０２は、検索情報受付部１２０１で受け付けた検索情報をサーバ装置１１に送信する。検索情報送信部１２０２は、通常、無線または有線の通信手段で実現されるが、放送手段で実現されても良い。
【００１４】
物品情報取得部１２０３は、物品情報送信部１１０４が送信した物品情報を受信する。物品情報取得部１２０３は、通常、無線または有線の通信手段で実現されるが、放送を受信する手段で実現されても良い。
【００１５】
物品情報表示部１２０４は、物品情報取得部１２０３が受信した物品情報を表示する。物品情報表示部１２０４は、画面上の複数に区切られた領域のうちの１以上の領域に物品の情報である物品情報を表示する。物品情報表示部１２０４が物品情報を表示する領域は、通常、矩形であるが、他の形状、例えば、楕円形などでも良い。物品情報表示部１２０４は、ディスプレイおよびそのドライバーソフト等で実現され得る。また、物品情報表示部１２０４は、通常、ウィンドウシステムを実現するソフトウェアを含む。
【００１６】
以下、物品設置システムを構成する情報処理装置１２の動作について、図３のフローチャートを参照して説明する。
【００１７】
（ステップＳ３０１）検索情報受付部１２０１は、検索情報を受け付けたか否かを判断する。検索情報を受け付ければステップＳ３０２に行き、検索情報を受け付けなければステップＳ３０１に戻る。
【００１８】
（ステップＳ３０２）検索情報送信部１２０２は、ステップＳ３０１で受け付けた検索情報をサーバ装置１１に送信する。
【００１９】
（ステップＳ３０３）物品情報取得部１２０３は、サーバ装置１１から物品情報を受信したか否かを判断する。物品情報を受信すればステップＳ３０４に行き、物品情報を受信しなければステップＳ３０３に戻る。なお、ここでの物品情報は、２以上の物品に関する情報を含む。
【００２０】
（ステップＳ３０４）物品情報表示部１２０４は、ステップＳ３０３で受信した物品情報を表示する。ここでの表示方法は、通常、複数の領域に区切られたディスプレイの画面上に、複数の物品に関する情報を表示する。なお、通常、ディスプレイの画面は、矩形に区切られているが、円形などの他の形状により区切られていても良い。
【００２１】
次に、物品設置システムを構成するサーバ装置１１の動作について、図４のフローチャートを参照して説明する。
【００２２】
（ステップＳ４０１）検索情報受信部１１０２は、情報処理装置１２から検索情報を受信したか否かを判断する。検索情報を受信すればステップＳ４０２に行き、検索情報を受信しなければステップＳ４０１に戻る。
【００２３】
（ステップＳ４０２）物品情報検索部１１０３は、ステップＳ４０１で受信した検索情報に基づいて、物品情報格納部１１０１から物品情報を取得する。
【００２４】
（ステップＳ４０３）物品情報送信部１１０４は、ステップＳ４０２で取得した物品情報を情報処理装置１２に送信する。
【００２５】
以下、物品設置システムの具体的な動作について説明する。今、物品情報格納部１１０１に格納されている物品情報を図５に示す。図５の表を物品情報管理表という。物品情報管理表が管理する情報は、薬品に関する情報である薬品情報である。物品情報管理表は、「ＩＤ」「薬品名」「量」「単位」「図柄」「形状」「備考」を有する薬品情報レコードを複数有する。「ＩＤ」は薬品情報レコードを識別する情報である。「薬品名」は薬品を識別する情報である。「量」は薬品がパッケージされている量である。つまり、「量」は、例えば、薬品が入る瓶の容量である。「単位」は、薬品の量が示す値の単位である。「単位」は、通常、ｍｌやｍｇやｇなどである。「図柄」は薬品の容器の静止画データである。なお、「図柄」は動画データでも構わない。「形状」は、薬品の容器の形状をあらわし、例えば、瓶、アンプル、バイアル、ボトルなどがある。「備考」は薬品を混注するときの注意点を示す情報である。
【００２６】
次に、物品設置システムの外観を図６に示す。図６における物品設置システムは、サーバ装置１１、情報処理装置１２、トレイ１３、およびバーコードリーダー１４を有する。本物品設置システムは、例えば、看護婦が病棟において使用する。看護婦まで、ある手段で届けられた患者の注射箋１５が、同じく病棟に存在する。なお、注射とは、点滴による注射である。本物品設置システムは、間違いなく、特定の患者に点滴すべき薬品を混注するものである。
【００２７】
物品設置システムのバーコードリーダー１４は、注射箋１５に記載されているバーコードを読み取る。注射箋１５は、患者を示す情報（図６における「特許一郎」）、混注する薬品の情報（図６における薬品Ａ，薬品Ｂなど）、混注する複数の薬品を示す情報であるバーコードなどが記載されている。今、図６に示すように、情報処理装置１２の画面上には、何も表示されていない。
【００２８】
次に、バーコードリーダー１４で注射箋１５に記載されているバーコードを読み取ったとする。情報処理装置１２は、バーコードの情報に基づいて、サーバ装置１１に検索にいく。次に、サーバ装置１１は、バーコードの情報を受信し、図５の物品情報管理表を検索する。次に、サーバ装置１１は、物品情報管理表から取り出した複数の物品情報を情報処理装置１２に送信する。情報処理装置１２は、複数の物品情報を受信し、分割されたウィンドウに当該物品情報を表示する。この複数の物品情報（薬品情報）が表示された情報処理装置１２とトレイ１３を図７に示す。図７によれば、注射箋１５が示す複数の薬品情報が画面上に表示されている。なお、画面上には、複数の薬品情報の下に、処方コメント等も表示される。
【００２９】
そして、トレイ１３は、複数の薬品情報の表示に対応して区切られている。つまり、図７において、複数の薬品情報が表示される画面上の領域に対応してトレイ１３が区切られている。図７の薬品を表示している領域は９のウィンドウ（処方コメントの表示領域は除く）に分割され、トレイ１３も９の領域に分割されている。また、情報処理装置１２の画面は、ほぼ平面の台（実際の薬品等が設置されている台）に対して、ほとんど垂直に置かれ、トレイ１３は、ほぼ平面の台に置かれている。
【００３０】
以上の状況において、例えば、看護婦が画面上の薬品情報の表示を見ながら、間違いなく、混注する薬品を選択して、適切なトレイの領域に設置する。適切なトレイの領域とは、画面上に表示されているウィンドウ領域に対応するトレイの領域である。例えば、適切なトレイの領域とは、図８に示すように、情報処理装置１２の画面上の領域に付された番号と同一の番号を有するトレイの領域である。
【００３１】
以上、本実施の形態によれば、情報処理装置から出力される情報が示す物品等を間違いなく選択できる。特に、病院において、複数の薬品を混注して患者に投与する場合に、間違いなく複数の薬品を混注できる。間違いなく薬品を混注して患者に投与することは、必須の病院の機能であり、人命に関わることであるので極めて重要である。
【００３２】
なお、本実施の形態において、情報処理装置において、薬品情報等の物品情報を取得するための情報である検索情報の入力を受け付ける検索情報受付部と、検索情報に基づいて物品情報を取得する物品情報取得部を有したが、かかる機能を果たす構成要素を別の装置で行っても良い。かかる場合、情報処理装置は、画面上の複数に区切られた領域のうちの１以上の領域に物品の情報である物品情報を表示する機能のみを有することとなる。
【００３３】
また、本実施の形態において、検索情報受付部はバーコードリーダーを例に説明したが、キーボード等の他の入力手段による入力を受け付けても良い。また、検索情報受付部は、外部装置から送信された検索情報を受信しても良い。かかることは、他の実施の形態においても同様である。
【００３４】
また、本実施の形態において、トレイは、情報処理装置に対応する形態で、単に近くに設置されていた。しかし、情報処理装置とトレイが機構的に接続されていても良い。つまり、機構的に接続されているとは、例えば、図９のように情報処理装置のディスプレイとトレイが蝶番で接続されている場合がある。また、情報処理装置とトレイが機構的に接続されているとは、トレイが一部窪んでおり、当該窪み（図１０の１００１）に情報処理装置１２が設置される、ということでも良い。かかることは、他の実施の形態においても同様である。
【００３５】
また、本実施の形態において、物品は薬品であり、物品情報は薬品情報であったが、物品を他の物品とし、物品情報は他の情報でも良い。かかることは、他の実施の形態においても同様である。
【００３６】
また、本実施の形態において、物品設置システムは、いわゆるサーバクライアントモデルにより実現されており、情報処理装置は、物品情報をサーバ装置から取得したが、物品設置システムは、スタンドアロンのシステムでも良い。つまり、物品設置システムはサーバ装置を有せず、情報処理装置が物品情報を保持していても良い。かかることは、他の実施の形態においても同様である。
【００３７】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかる実現手段に種々のものがあることは、他の実施の形態においても同様である。
【００３８】
（実施の形態２）
図１１は、本発明におけるボトルラベル製造システムのブロック図である。ボトルラベル製造システムは、情報処理装置１１２、トレイ１３、印刷装置１１４を有する。情報処理装置１１２は、薬品情報保持部１１２０１、薬品情報表示部１１２０２、指示受付部１１２０３、指示受付明示部１１２０４、条件格納部１１２０５、条件判断部１１２０６、ボトルラベル印刷指示部１１２０７を有する。印刷装置１１４は、印刷指示受付部１１４０１、ボトルラベル印刷部１１４０２を有する。ボトルラベルとは、患者に投入する注射（点滴）の瓶等に貼付するラベルである。
【００３９】
薬品情報保持部１１２０１は、薬品の情報である薬品情報を複数、保持している。薬品情報保持部１１２０１は、不揮発性の記録媒体でも揮発性の記録媒体でも良い。薬品情報保持部１１２０１が保持している薬品情報は、外部の装置（例えば、実施の形態１におけるサーバ装置など）から取得した情報であっても良い。
【００４０】
薬品情報表示部１１２０２は、薬品情報保持部１１２０１が保持している薬品情報を複数、各々区切られた領域に表示する。薬品情報表示部１１２０２は、ディスプレイおよびそのドライバーソフト等で実現され得る。また、薬品情報表示部１１２０２は、通常、ウィンドウシステムを実現するソフトウェアを含む。
【００４１】
指示受付部１１２０３は、当該表示されている薬品情報への指示を受け付ける。指示受付部１１２０３は、の実現手段は、検索情報の受付方法に基づいて、種々考えられる。例えば、検索情報受付部１２０１は、タッチパネルおよびドライバーソフトで実現される。なお、ここでの指示とは、例えば、薬品の混注をすることを示すことや、薬品の混注を行ったことを示すことや、薬品を選択することを示すことなどである。
【００４２】
指示受付明示部１１２０４は、指示受付部１１２０３で指示を受け付けた場合に、指示を受け付けた旨を視覚的に明示する。この明示の方法は何でも良い。例えば、薬品情報が表示されているウィンドウの一領域の背景色を他と異なる背景色にしても良いし、表示されている薬品情報を未表示にしても（削除しても）良い。また、指示された薬品情報が表示されているウィンドウの枠内に、指示された旨を示すアイコンなどの情報を表示しても良い。指示受付明示部１１２０４は、通常、ソフトウェアおよびＣＰＵ等により実現され得る。但し、ハードウェアにより実現されても良い。
【００４３】
条件格納部１１２０５は、ボトルラベルを印刷する条件に関する情報を格納している。条件の具体的な内容については、以下で述べる。条件格納部１１２０５は、不揮発性の記録媒体でも揮発性の記録媒体でも良い。
【００４４】
条件判断部１１２０６は、条件格納部１１２０５に格納されている条件に、指示受付部１１２０３が受け付けた複数の指示が合致するか否かを判断する。条件判断部１１２０６は、通常、ソフトウェアおよびＣＰＵ等により実現され得る。但し、ハードウェアにより実現されても良い。
【００４５】
ボトルラベル印刷指示部１１２０７は、条件判断部１１２０６における判断が条件に合致するとの判断の場合に、印刷装置１１４にボトルラベルの印刷をするように指示する。ボトルラベル印刷指示部１１２０７は、通常、ソフトウェアおよびＣＰＵ等により実現され得る。但し、ハードウェアにより実現されても良い。
【００４６】
印刷指示受付部１１４０１は、情報処理装置１１２からボトルラベルの印刷指示を受け付ける。印刷指示は、印刷する情報も含まれる。ボトルラベル印刷部１１４０２は、印刷指示受付部１１４０１が受け付けた指示通りボトルラベルを印刷する。つまり、印刷装置１１４は、いわゆるプリンターである。
【００４７】
以下、ボトルラベル製造システムを構成する情報処理装置１１２の動作について、図１２のフローチャートを参照して説明する。なお、現在、情報処理装置１１２において、薬品情報保持部１１２０１の薬品情報が読み出され、薬品情報表示部１１２０２によって、ディスプレイ上に表示されている状態である、とする。
【００４８】
（ステップＳ１２０１）指示受付部１１２０３は、表示されている薬品情報に対する指示を受け付けたか否かを判断する。指示を受け付ければステップＳ１２０２に行き、指示を受け付けなければステップＳ１２０１に戻る。
【００４９】
（ステップＳ１２０２）指示受付明示部１１２０４は、ステップＳ１２０１で受け付けた指示が適正な指示か否かを判断する。適正な指示であればステップＳ１２０３に行き、適正な指示でなければステップＳ１２０４に飛ぶ。不適正な指示とは、二度目以降の指示などである。
【００５０】
（ステップＳ１２０３）指示受付明示部１１２０４は、薬品情報に対して指示を受け付けた旨を視覚的に明示する。ここでの視覚的な明示は、薬品情報が表示されているウィンドウの領域の背景色の変化、背景色の反転、特定のアイコンの表示など、指示された旨が視覚的に分かるものであれば何でも良い。
【００５１】
（ステップＳ１２０４）指示受付明示部１１２０４は、予め格納されているエラー情報を出力する。エラー情報とは、エラーを示す情報であれば、テキスト、静止画、動画、音声等、何でも良い。
【００５２】
（ステップＳ１２０５）条件判断部１１２０６は、条件格納部１１２０５に格納されている条件と指示と比較して、指示が条件に合致するか否かを判断する。なお、この指示とは、通常、処理の開始から今まで入力された一連の指示を言う。但し、指示とは、時間的に最近のステップＳ１２０１で受け付けた指示のみを指す場合もあり得る。
【００５３】
（ステップＳ１２０６）ボトルラベル印刷指示部１１２０７は、印刷装置１１４に対して、ボトルラベルの印刷をするように指示する。
【００５４】
次に、印刷装置１１４の動作について説明する。印刷装置１１４の印刷指示受付部１１４０１は、情報処理装置１１２からボトルラベルの印刷指示を受けて、ボトルラベル印刷部１１４０２がボトルラベルを印刷する。なお、ボトルラベルは、通常、シール状の紙材質である。また、ボトルラベルは、通常、点滴の瓶に貼付される。
【００５５】
以下、ボトルラベル製造システムの具体的な動作について説明する。今、患者に注射（点滴）する複数の注射薬と注射箋（図１３の１５）がディスプレイの前にセットされている。そして、例えば、看護婦が注射箋（１５）のバーコードを読み取ると、セットする１施行分の注射薬のアンプルやバイアルの写真（または、図柄）がディスプレイに表示される。つまり、複数の薬品情報がディスプレイに表示される。注射薬の写真等が表示されている状況を図１３に示す。図１３は、情報処理装置を示す図であり、画面はタッチパネルで構成されている。また、情報処理装置１１２は、実施の形態１で述べたように、バーコードに対応する複数の薬品情報をサーバ装置から検索して、図１３のように表示する。図１３によれば、複数の薬品情報が分割されたウィンドウ領域にそれぞれ表示されている。
【００５６】
次に、看護婦が、アンプルやバイアルを混注する毎に、使った注射薬に関する情報が表示された領域をタッチする。すると、タッチされた領域に表示されている薬品が混注されたとして、情報処理装置１１２は混注された旨を視覚的に表示する。ここでは、図１４に示すように、混注された旨はウィンドウ領域に網掛けの幕をかぶせることにより示されている。
【００５７】
次に、生理食塩水のボトル以外の薬品情報の領域を全て指示したのち、生理食塩水のボトルの領域を指示すれば、ボトルラベル（バーコード付き）の印刷指示がなされる。
【００５８】
次に、印刷装置１１４は、ボトルラベルの印刷指示を受け取り、ボトルラベルの印刷を行う。そして、例えば、看護婦がボトルラベルをボトルに貼って、作業が完了する。ボトルラベルの例を図１５に示す。
【００５９】
なお、上記の具体例における条件とは、特定の薬品情報（生理食塩水のボトルを示す情報）を表示した領域が指示される前に、他の薬品情報を表示した領域がすべて指示されることである。
【００６０】
以上、本実施の形態によれば、情報処理装置から出力される情報が示す物品等を間違いなく選択できる。特に、病院において、複数の薬品を混注して患者に投与する場合に、間違いなく複数の薬品を混注できる。また、薬品の混注の順序がある場合に、間違いなく所定の順序通りに薬品を混注できる。
【００６１】
なお、本実施の形態において、薬品情報の指示は、タッチパネルにタッチすることにより行われたが、他の指示方法でも良い。例えば、薬品を識別する識別子をキーボードなどにより入力することにより、薬品情報を指示することが考えられる。
【００６２】
さらに、本実施の形態において、薬品情報は予め情報処理装置が保持していたが、通常、サーバ装置等の外部装置から検索して薬品情報を取得する。かかる場合、情報処理装置は、上記で説明した構成に加えて、以下の構成を有する。つまり、情報処理装置は、薬品情報を取得するための情報である検索情報の入力を受け付ける検索情報受付部と、検索情報に基づいて薬品情報を取得する薬品情報取得部をさらに具備し、薬品情報表示部は薬品情報取得部が取得した薬品情報を複数、各々区切られた領域に表示するものである。
【００６３】
（実施の形態３）
図１６は、本発明におけるデータ表示システムのブロック図である。データ表示システムは、サーバ装置１６１とデータ表示装置１６２を有する。サーバ装置１６１は、情報格納部１６１０１、検索情報受信部１１０２、情報検索部１６１０３、検索結果送信部１６１０４を有する。データ表示装置１６２は、検索情報受付部１２０１、検索情報送信部１２０２、検索結果取得部１６２０３、データ表示部１６２０４を有する。
【００６４】
情報格納部１６１０１は、情報を格納している。情報とは、例えば、上記の実施の形態で説明した物品情報である。また、情報格納部１６１０１は、例えば、リレーショナルデータベースの表を格納している。情報格納部１６１０１は、不揮発性の記録媒体が好適であるが、揮発性の記録媒体でも良い。
【００６５】
情報検索部１６１０３は、検索情報受信部１１０２で受信した検索情報に基づいて情報格納部１６１０１を検索して、情報を取得する。情報検索部１６１０３は、通常、ソフトウェアおよびＣＰＵ等により実現され得る。このソフトウェアは、通常、ＲＯＭ等に格納されている。
【００６６】
検索結果送信部１６１０４は、情報検索部１６１０３で検索した情報を情報処理装置１６２に送信する。検索結果送信部１６１０４は、通常、無線または有線の通信手段で実現されるが、放送手段で実現されても良い。
【００６７】
検索結果取得部１６２０３は、検索結果送信部１６１０４から送信された検索結果を取得する。検索結果取得部１６２０３は、通常、無線または有線の通信手段で実現されるが、放送を受信する手段で実現されても良い。
【００６８】
データ表示部１６２０４は、検索結果取得部１６２０３が取得した検索結果をディスプレイに表示する。その場合、データ表示部１６２０４は、予め決められた属性値にデータが存在する場合にのみ、当該データの存在を視覚的に明示するアイコンを出力する。データ表示部１６２０４は、ディスプレイ、そのドライバーソフト、および属性値が存在する旨を視覚的に表示する場合の表示制御のソフトウェア等で実現され得る。
【００６９】
以下、データ表示システムを構成するデータ表示装置１６２の動作について、図１７のフローチャートを参照して説明する。
【００７０】
（ステップＳ１７０１）検索情報受付部１２０１は、検索情報を受け付けたか否かを判断する。検索情報を受け付ければステップＳ１７０２に行き、検索情報を受け付けなければステップＳ１７０１に戻る。
【００７１】
（ステップＳ１７０２）検索情報送信部１２０２は、ステップＳ１７０１で受け付けた検索情報をサーバ装置１６１に送信する。
【００７２】
（ステップＳ１７０３）検索結果取得部１６２０３は、サーバ装置１６１から検索結果を取得したか否かを判断する。検索結果を取得すればステップＳ１７０４に行き、検索結果を取得しなければステップＳ１７０３に戻る。
【００７３】
（ステップＳ１７０４）データ表示部１６２０４は、ステップＳ１７０３で取得した検索結果から特定の属性値を取得する。なお、検索結果は１以上の属性値を有する１以上のレコードである。
【００７４】
（ステップＳ１７０５）データ表示部１６２０４は、ステップＳ１７０４で取得した特定の属性値にデータが存在するか（空でないか）を判断する。データが存在すればステップＳ１７０６に行き、データが存在しなければステップＳ１７０８に飛ぶ。
【００７５】
（ステップＳ１７０６）データ表示部１６２０４は、予め格納されているアイコンを取得する。
【００７６】
（ステップＳ１７０７）データ表示部１６２０４は、ステップＳ１７０６で取得したアイコンを表示する。
【００７７】
（ステップＳ１７０８）データ表示部１６２０４は、ステップＳ１７０３で取得した他の属性値を表示する。
【００７８】
上記の図１７のフローチャートにおいて、検索結果が２以上のレコードを有する場合は、レコード毎にアイコンの表示（ステップＳ１７０７）、他の属性値の表示（ステップＳ１７０８）が行われる。
【００７９】
以下、データ表示システムの具体的な動作について説明する。今、サーバ装置１６１に、図５に示す物品情報管理表が格納されている。そして、データ表示装置１６２から図５の物品情報管理表を検索する。この物品情報管理表のレコードは薬品の情報である薬品情報であり、上述した予め決められた属性値は、薬品の取り扱いの注意に関する情報である。また、予め決められた特定の属性は「備考」である、とする。
【００８０】
かかる状況において、データ表示装置１６２は、１以上の薬品情報を有するレコードを複数、サーバ装置１６１から取得する。そして、データ表示装置１６２は図１８に示すように薬品情報を表示する。図１８の薬品情報の表示例は、６つの薬品情報が表示されている例である。図１８によれば、「ｉ」マークのアイコンが２つの薬品情報の表示領域に表示されている。この「ｉ」マークは、検索した薬品情報のレコードの「備考」属性値にデータが存在する旨を示す。つまり、当該薬品情報は、薬品の取り扱いの注意に関する情報を含むことを示している。なお、「ｉ」マークのアイコンは、予めデータ表示装置１６２が保持している。
【００８１】
また、データ表示装置の画面は、例えば、タッチパネルである、とする。かかる場合、ユーザ（看護婦など）が、「ｉ」マークのアイコンをタッチすれば、データ表示装置は、取得している「備考」の属性値を表示する。「備考」の属性値を表示する領域は、薬品情報を表示している領域でも良いし、図１９のように、薬品情報を表示していない領域でも良い。つまり、ここにおいて、「ｉ」マークのアイコンは、いわゆる、ボタンを構成する。
【００８２】
以上、本実施の形態によれば、特定の属性のデータが存在する場合に、ユーザに視覚的に分かりやすく注意を喚起できる。特に、病院において、複数の薬品を混注して患者に投与する場合等に、取り扱い上の注意がある薬品を間違いなく処理できる。
【００８３】
なお、本実施の形態において、アイコンの形状などは問わない。
【００８４】
また、本実施の形態において、表示する情報は、薬品情報とは限らない。つまり、本実施の形態において、特定の属性値が空であるか否かについて、アイコンを用いて視覚的に明示できれば良い。
【００８５】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。本実施の形態における処理をソフトウェアで実現した場合のプログラムは、以下のようなプログラムになる。つまり、コンピュータに、複数の属性値を有するレコードを複数格納しているデータベース（本データベースは、通常、外部の装置のデータベースであるが、自身で保持している、つまりスタンドアロンでも良い。）からレコード、またはレコードを構成する１以上の属性値を検索するための情報である検索情報の入力を受け付ける検索情報入力受付ステップと、検索情報に基づいてデータベースからレコードまたはレコードを構成する１以上の属性値を検索する検索ステップと、検索ステップで検索した１以上のレコードまたはレコードを構成する１以上の属性値を表示するデータ表示ステップを実行させるためのプログラムであって、データ表示ステップにおいて、予め決められた属性値にデータが存在する場合にのみ、当該データの存在を視覚的に明示するアイコンを出力することを特徴とするプログラムである。
【００８６】
（実施の形態４）
図２０は、本発明における薬品情報表示システムのブロック図である。薬品情報表示システムは、サーバ装置１１、情報処理装置２０２を有する。サーバ装置１１は、物品情報格納部１１０１、検索情報受信部１１０２、物品情報検索部１１０３、物品情報送信部１１０４を有する。なお、本実施の形態における物品情報は、薬品に関する薬品情報を主として説明する。また、物品情報は、薬品を識別する薬品識別子（薬品名）と容器に入っている薬品の全体量の情報を含む。
【００８７】
情報処理装置２０２は、検索情報受付部１２０１、検索情報送信部１２０２、物品情報取得部１２０３、薬品情報表示部２０２０４を有する。検索情報受付部１２０１が受け付ける検索情報は、薬品識別子と当該薬品の使用量を含む使用薬品情報である。但し、検索情報がバーコードの情報であり、かかる情報に基づいて、使用薬品情報を取得できれば良い。
【００８８】
薬品情報表示部２０２０４は、物品情報取得部１２０３が取得した薬品情報の全部または一部と、検索情報受付部１２０１が受け付けた使用薬品情報に含まれる使用量情報に基づいて、薬品を識別するための情報と、当該薬品の全体量および薬品の使用量を視覚的に表示する。ここで、薬品を識別するための情報とは、薬品識別子でも良いし、薬品を示す図柄等でも良い。薬品情報表示部２０２０４は、ディスプレイおよびそのドライバーソフト等で実現され得る。なお、薬品情報表示部２０２０４は、上記の表示制御を行うソフトウェアまたはハードウェア（電子回路）を含む。
【００８９】
以下、薬品情報表示システムを構成する情報処理装置２０２の動作について、図２１のフローチャートを参照して説明する。
【００９０】
（ステップＳ２１０１）検索情報受付部１２０１は、検索情報を受け付けたか否かを判断する。検索情報を受け付ければステップＳ２１０２に行き、検索情報を受け付けなければステップＳ２１０１に戻る。
【００９１】
（ステップＳ２１０２）検索情報送信部１２０２は、ステップＳ２１０１で受け付けた検索情報をサーバ装置１１に送信する。
【００９２】
（ステップＳ２１０３）物品情報取得部１２０３は、サーバ装置１１から薬品情報を受信する。薬品情報を受信すればステップＳ２１０４に行き、薬品情報を受信しなければステップＳ２１０３に戻る。
【００９３】
（ステップＳ２１０４）薬品情報表示部２０２０４は、ステップＳ２１０１で受け付けた検索情報に基づいて、使用する薬品の使用量情報を取得する。
【００９４】
（ステップＳ２１０５）薬品情報表示部２０２０４は、ステップＳ２１０３で受信した薬品情報が有する薬品の全体量情報を取得する。
【００９５】
（ステップＳ２１０６）薬品情報表示部２０２０４は、薬品の全体量および薬品の使用量を視覚的に表示する。
【００９６】
（ステップＳ２１０７）薬品情報表示部２０２０４は、薬品を識別するための情報の他、ステップＳ２１０６で表示した情報以外の情報を表示する。この情報は、ステップＳ２１０３で受信した薬品情報である。
【００９７】
なお、薬品情報表示システムを構成するサーバ装置１１の動作については、図４のフローチャートを用いて既に説明したので、ここでの説明は省略する。
【００９８】
以下、薬品情報表示システムの具体的な動作について説明する。今、図５に示す物品情報管理表がサーバ装置に格納されている。物品情報管理表には、薬品情報が格納されている。また、薬品情報表示システムの概念図を図２２に示す。図２２によれば、薬品情報表示システムは、サーバ装置１１、情報処理装置２０２、トレイ１３、バーコードリーダー１４を有する。そして、バーコードリーダー１４により注射箋のバーコードを読み取る。このバーコードの情報により、混注する薬品を識別する情報、使用量の情報が分かる。そして、情報処理装置２０２は、薬品を識別する情報（薬品名）に基づいて薬品情報をサーバ装置１１から取得する。この薬品情報は、薬品の全体量（図５の表の「量」の属性値と「単位」の属性値）を含む。そして、情報処理装置２０２は、薬品を識別する情報（薬品名または／および図柄等）と、薬品の全体量、および使用量に関する情報を表示する。
【００９９】
以上の処理により、例えば、薬品情報表示システムの情報処理装置２０２における表示は、図２３のようになる。図２３によれば、薬品の全体量、および使用量が分数、つまり数字により視覚的に表示されている。図２３によれば、単位も表示されている。また、情報処理装置における薬品情報（薬品の全体量、および使用量を含む）の表示は、図２４に示すように、図柄により表示しても良い。
【０１００】
以上、本実施の形態によれば、検索した薬品情報の全部または一部と、入力された指示命令が有する使用薬品情報に含まれる使用量情報に基づいて、薬品を識別するための情報と、当該薬品の全体量および薬品の使用量を視覚的に表示するので、複数の薬品を混注する場合に、間違いなく薬品を混注できる。
【０１０１】
【発明の効果】
本発明によれば、例えば、病棟において複数の薬品を混注する場合に、間違いなく薬品を混注できる。
【図面の簡単な説明】
【図１】実施の形態１における物品設置システムの概念図
【図２】実施の形態１における物品設置システムのブロック図
【図３】実施の形態１における情報処理装置の動作を説明するフローチャート
【図４】実施の形態１におけるサーバ装置の動作を説明するフローチャート
【図５】実施の形態１における物品情報管理表を示す図
【図６】実施の形態１における物品設置システムの外観を示す図
【図７】実施の形態１における情報処理装置の表示例を示す図
【図８】実施の形態１における情報処理装置とトレイの関係を示す図
【図９】実施の形態１における情報処理装置とトレイを示す図
【図１０】実施の形態１における情報処理装置とトレイを示す図
【図１１】実施の形態２におけるボトルラベル製造システムのブロック図
【図１２】実施の形態２における情報処理装置の動作を説明するフローチャート
【図１３】実施の形態２におけるボトルラベル製造システムの概念図
【図１４】実施の形態２における情報処理装置の薬品情報の表示例を示す図
【図１５】実施の形態２におけるボトルラベルの例を示す図
【図１６】実施の形態３におけるデータ表示システムのブロック図
【図１７】実施の形態３におけるデータ表示装置の動作を説明するフローチャート
【図１８】実施の形態３におけるデータ表示装置のデータ表示例を示す図
【図１９】実施の形態３におけるデータ表示装置のデータ表示例を示す図
【図２０】実施の形態４における薬品情報表示システムのブロック図
【図２１】実施の形態４における情報処理装置の動作を説明するフローチャート
【図２２】実施の形態４における薬品情報表示システムの概念図
【図２３】実施の形態４における薬品情報表示システムの薬品情報の表示例を示す図
【図２４】実施の形態４における薬品情報表示システムの薬品情報の表示例を示す図
【符号の説明】
１１、１６１　サーバ装置
１２、１１２、１６２、２０２　情報処理装置
１３　トレイ
１４　バーコードリーダー
１５　注射箋
１１４　印刷装置
１６２　データ表示装置
１１０１　物品情報格納部
１１０２　検索情報受信部
１１０３　物品情報検索部
１１０４　物品情報送信部
１２０１　検索情報受付部
１２０２　検索情報送信部
１２０３　物品情報取得部
１２０４　物品情報表示部
１１２０１　薬品情報保持部
１１２０２　薬品情報表示部
１１２０３　指示受付部
１１２０４　指示受付明示部
１１２０５　条件格納部
１１２０６　条件判断部
１１２０７　ボトルラベル印刷指示部
１１４０１　印刷指示受付部
１１４０２　ボトルラベル印刷部
１６１０１　情報格納部
１６１０３　情報検索部
１６１０４　検索結果送信部
１６２０３　検索結果取得部
１６２０４　データ表示部
２０２０４　薬品情報表示部
【図１】
2004018154.tif 000003
【図２】
2004018154.tif 000004
【図３】
2004018154.tif 000005
【図４】
2004018154.tif 000006
【図５】
2004018154.tif 000007
【図６】
2004018154.tif 000008
【図７】
2004018154.tif 000009
【図８】
2004018154.tif 000010
【図９】
2004018154.tif 000011
【図１０】
2004018154.tif 000012
【図１１】
2004018154.tif 000013
【図１２】
2004018154.tif 000014
【図１３】
2004018154.tif 000015
【図１４】
2004018154.tif 000016
【図１５】
2004018154.tif 000017
【図１６】
2004018154.tif 000018
【図１７】
2004018154.tif 000019
【図１８】
2004018154.tif 000020
【図１９】
2004018154.tif 000021
【図２０】
2004018154.tif 000022
【図２１】
2004018154.tif 000023
【図２２】
2004018154.tif 000024
【図２３】
2004018154.tif 000025
【図２４】
2004018154.tif 000026